(57)【要約】【課題】被照明部材のコーナー領域の輝度が低下するのを抑制することが可能な照明装置を提供する。【解決手段】この照明装置２０は、複数の発光素子２１と、複数の発光素子２１が実装される実装基板２２と、を備える。複数の実装基板２２は、照明装置２０のコーナー部Ｃに隣接して配置される実装基板１２１と、実装基板１２１以外の実装基板１２２とを含む。実装基板１２１のうちのコーナー部Ｃ近傍の部分には、コーナー部Ｃ側に突出した突出部１２１ａが設けられており、突出部１２１ａには発光素子２１が実装されている。【選択図】図３
2013152863.tif 000002
【特許請求の範囲】
【請求項１】
被照明部材を照明する照明装置であって、
前記被照明部材の背面側に配置される複数の発光素子と、
それぞれ複数ずつの前記発光素子が実装される複数の実装基板と、
を備え、
前記複数の実装基板は、前記照明装置のコーナー部に隣接して配置される第１実装基板と、前記第１実装基板以外の第２実装基板とを含み、
前記第１実装基板のうちの前記コーナー部近傍の部分には、前記コーナー部側に突出した突出部が設けられており、
前記突出部には前記発光素子が実装されていることを特徴とする照明装置。
【請求項２】
前記実装基板は第１方向に延びるように形成されており、
前記突出部は、前記第２実装基板の前記第１方向の端面よりも前記第１方向の外側に突出していることを特徴とする請求項１に記載の照明装置。
【請求項３】
前記実装基板は第１方向に延びるように形成されており、
前記突出部は、前記第１実装基板の前記第１方向と交差する第２方向の端面から外側に突出していることを特徴とする請求項１または２に記載の照明装置。
【請求項４】
前記実装基板上に配置される反射シートを備え、
前記反射シートは、前記被照明部材に略平行に配置される底面部と、前記底面部に対して傾斜する傾斜面部とを含み、
前記傾斜面部のうちの、前記突出部に実装された発光素子の前方部分には、開口部または切り欠き部が形成されていることを特徴とする請求項１〜３のいずれか１項に記載の照明装置。
【請求項５】
前記第１実装基板は前記第２実装基板よりも大きい面積を有することを特徴とする請求項１〜４のいずれか１項に記載の照明装置。
【請求項６】
前記突出部に実装された発光素子を除いて前記複数の発光素子は、マトリクス状に配置されており、
前記突出部に実装された発光素子は、前記マトリクス状に配置された前記複数の発光素子のうちの前記コーナー部に隣接して配置される前記発光素子に比べて、前記コーナー部の近くに配置されていることを特徴とする請求項１〜５のいずれか１項に記載の照明装置。
【請求項７】
前記突出部に実装された発光素子に供給される電力は、それ以外の発光素子に供給される電力よりも高いことを特徴とする請求項１〜６のいずれか１項に記載の照明装置。
【請求項８】
前記第１実装基板は複数の配線層を含み、
前記第１実装基板に実装された発光素子は、供給される電力に応じて２つ以上のグループに分かれているとともに、前記グループ毎に異なる前記配線層に電気的に接続されていることを特徴とする請求項１〜７のいずれか１項に記載の照明装置。
【請求項９】
前記突出部に実装された発光素子は、前記複数の配線層のうちの最外層以外の配線層にスルーホールを介して電気的に接続されていることを特徴とする請求項８に記載の照明装置。
【請求項１０】
前記発光素子は白色発光ダイオードを含むことを特徴とする請求項１〜９のいずれか１項に記載の照明装置。
【請求項１１】
前記白色発光ダイオードは、
青色に発光する青色発光チップと、前記青色発光チップの周囲に設けられ、黄色の領域に発光ピークを有する発光体層と、の組み合わせ、
または、
青色に発光する青色発光チップと、前記青色発光チップの周囲に設けられ、緑色の領域および赤色の領域にそれぞれ発光ピークを有する発光体層と、の組み合わせ、
または、
青色に発光する青色発光チップと、前記青色発光チップの周囲に設けられ、緑色の領域に発光ピークを有する発光体層と、赤色に発光する赤色発光チップと、の組み合わせ、
または、
青色に発光する青色発光チップと、赤色に発光する赤色発光チップと、緑色に発光する緑色発光チップと、の組み合わせ、
または、
紫外光を発光する紫外光発光チップと、前記紫外光発光チップの周囲に設けられ、青色の領域、赤色の領域および緑色の領域にそれぞれ発光ピークを有する発光体層と、の組み合わせ、
のいずれかの組み合わせを含むことを特徴とする請求項１０に記載の照明装置。
【請求項１２】
前記突出部に実装された発光素子のみが、前記青色に発光する青色発光チップと、前記黄色の領域に発光ピークを有する発光体層とを含む前記白色発光ダイオードであることを特徴とする請求項１１に記載の照明装置。
【請求項１３】
前記発光素子の光出射側を覆うように設けられ、前記発光素子からの光を拡散させる拡散レンズを備えることを特徴とする請求項１〜１２のいずれか１項に記載の照明装置。
【請求項１４】
前記拡散レンズは、真上方向よりも前記コーナー部方向へ出射する光を増大させることを特徴とする請求項１３に記載の照明装置。
【請求項１５】
前記拡散レンズは、前記突出部に実装された発光素子以外の発光素子に設けられていることを特徴とする請求項１３または１４に記載の照明装置。
【請求項１６】
請求項１〜１５のいずれか１項に記載の照明装置と、
前記照明装置からの光を利用して表示を行う表示パネルとを備えることを特徴とする表示装置。
【請求項１７】
前記表示パネルは液晶を用いた液晶表示パネルであることを特徴とする請求項１６に記載の表示装置。
【発明の詳細な説明】
【技術分野】
【０００１】
この発明は、照明装置およびそれを備えた表示装置に関し、特に、複数の発光素子を含む照明装置およびそれを備えた表示装置に関する。
【背景技術】
【０００２】
液晶表示装置（表示装置）は、表示パネル（被照明部材）が非発光型なので、通常、表示パネルに対して光を照射するバックライト装置（照明装置）が搭載される。このようなバックライト装置として、複数のＬＥＤ（発光素子）を備えた直下型のバックライト装置が知られている。
【０００３】
図１１は、複数のＬＥＤを含む直下型のバックライト装置を備えた従来の表示装置の一例を示した断面図である。表示装置１００１は図１１に示すように、液晶表示パネル１００２と、液晶表示パネル１００２を照明するバックライト装置１０１０とを備えている。バックライト装置１０１０は、複数のＬＥＤ１０１１と、ＬＥＤ１０１１を覆うように配置された拡散レンズ１０１２と、複数のＬＥＤ１０１１が実装される実装基板１０１３と、ＬＥＤ１０１１からの光を液晶表示パネル１００２側に反射する反射シート１０１４と、ＬＥＤ１０１１の前方（液晶表示パネル１００２側）に配置された拡散板１０１５および複数の光学シート１０１６と、ＬＥＤ１０１１および実装基板１０１３などを収納するシャーシ１０１７とを含んでいる。
【０００４】
複数のＬＥＤ１０１１は液晶表示パネル１００２の長手方向および短手方向に配列されている。拡散レンズ１０１２は反射シート１０１４の開口部から前側（液晶表示パネル１００２側）に突出している。ＬＥＤ１０１１から出射した光は拡散レンズ１０１２を透過するとともに、その一部は拡散板１０１５で反射されて反射シート１０１４により液晶表示パネル１００２側に反射される。
【０００５】
反射シート１０１４は長方形状の底面部１０１４ａと、底面部１０１４ａに対して所定の傾斜角度を有するように液晶表示パネル１００２側に折り曲げられた傾斜面部１０１４ｂとを含んでいる。これにより、ＬＥＤ１０１１から出射した光は、バックライト装置１０１０の周縁部において、反射シート１０１４の傾斜面部１０１４ｂにより液晶表示パネル１００２側に反射される。このため、液晶表示パネル１００２の周縁部の輝度が低下する（周縁部が暗く見える）のを抑制することが可能である。
【０００６】
なお、反射シートの周縁部が折り曲げられた照明装置は、例えば特許文献１に開示されている。
【先行技術文献】
【特許文献】
【０００７】
【特許文献１】特開２０１１−３４９５５号公報
【発明の概要】
【発明が解決しようとする課題】
【０００８】
しかしながら、従来の表示装置１００１では図１２に示すように、バックライト装置１０１０を薄型化すると、反射シート１０１４の傾斜面部１０１４ｂの傾斜角度が小さくなる。特に、ＬＥＤ１０１１から反射シート１０１４のコーナー部（バックライト装置１０１０のコーナー部）に向かって出射した光は、バックライト装置１０１０の厚み方向（液晶表示パネル１００２側）に反射されにくい。このため、液晶表示パネル１００２のコーナー領域Ｓ１００１（図１３参照）の輝度が低下する（コーナー領域Ｓ１００１が暗く見える）という問題点がある。なお、図１３のハッチング領域はコーナー領域Ｓ１００１を示している。
【０００９】
この発明は、上記のような課題を解決するためになされたものであり、この発明の目的は、被照明部材のコーナー領域の輝度が低下するのを抑制することが可能な照明装置およびそれを備えた表示装置を提供することである。
【課題を解決するための手段】
【００１０】
上記目的を達成するために、この発明の照明装置は、被照明部材を照明する照明装置であって、被照明部材の背面側に配置される複数の発光素子と、それぞれ複数ずつの発光素子が実装される複数の実装基板と、を備え、複数の実装基板は、照明装置のコーナー部に隣接して配置される第１実装基板と、第１実装基板以外の第２実装基板とを含み、第１実装基板のうちの前記コーナー部近傍の部分には、前記コーナー部側に突出した突出部が設けられており、突出部には発光素子が実装されている。
【００１１】
この照明装置では、上記のように、照明装置のコーナー部に隣接して配置される第１実装基板のうちの、前記コーナー部近傍の部分には、前記コーナー部側に突出した突出部が設けられており、突出部には発光素子が実装されている。すなわち、照明装置のコーナー部近傍（コーナー領域）に発光素子を追加配置する。これにより、照明装置のコーナー領域から出射する光の量を増加させることができるので、被照明部材のコーナー領域の輝度が低下する（コーナー領域が暗く見える）のを抑制することができる。このような構成は、薄型の照明装置に特に有効である。
【００１２】
上記照明装置において、好ましくは、実装基板は第１方向に延びるように形成されており、突出部は、第２実装基板の第１方向の端面よりも第１方向の外側に突出している。
【００１３】
上記照明装置において、好ましくは、実装基板は第１方向に延びるように形成されており、突出部は、第１実装基板の第１方向と交差する第２方向の端面から外側に突出している。
【００１４】
上記照明装置において、好ましくは、実装基板上に配置される反射シートを備え、反射シートは、被照明部材に略平行に配置される底面部と、底面部に対して傾斜する傾斜面部とを含み、傾斜面部のうちの、突出部に実装された発光素子の前方部分には、開口部または切り欠き部が形成されている。このように構成すれば、照明装置のコーナー部近傍に発光素子を追加配置した場合に、その発光素子から出射した光が反射シートの傾斜面部で遮られるのを抑制することができる。
【００１５】
上記照明装置において、好ましくは、第１実装基板は第２実装基板よりも大きい面積を有する。このように構成すれば、第１実装基板に突出部を容易に設けることができる。
【００１６】
上記照明装置において、好ましくは、突出部に実装された発光素子を除いて複数の発光素子は、マトリクス状に配置されており、突出部に実装された発光素子は、マトリクス状に配置された複数の発光素子のうちの前記コーナー部に隣接して配置される発光素子に比べて、前記コーナー部の近くに配置されている。このように構成すれば、照明装置のコーナー領域から出射する光の量を容易に増加させることができる。
【００１７】
上記照明装置において、好ましくは、突出部に実装された発光素子に供給される電力は、それ以外の発光素子に供給される電力よりも高い。このように構成すれば、照明装置のコーナー領域から出射する光の量をより増加させることができるので、被照明部材のコーナー領域の輝度が低下するのをより抑制することができる。
【００１８】
上記照明装置において、好ましくは、第１実装基板は複数の配線層を含み、第１実装基板に実装された発光素子は、供給される電力に応じて２つ以上のグループに分かれているとともに、グループ毎に異なる配線層に電気的に接続されている。
【００１９】
この場合、好ましくは、突出部に実装された発光素子は、複数の配線層のうちの最外層以外の配線層にスルーホールを介して電気的に接続されている。
【００２０】
上記照明装置において、好ましくは、発光素子は白色発光ダイオードを含む。
【００２１】
上記発光素子が白色発光ダイオードを含む照明装置において、好ましくは、白色発光ダイオードは、青色に発光する青色発光チップと、青色発光チップの周囲に設けられ、黄色の領域に発光ピークを有する発光体層と、の組み合わせ、または、青色に発光する青色発光チップと、青色発光チップの周囲に設けられ、緑色の領域および赤色の領域にそれぞれ発光ピークを有する発光体層と、の組み合わせ、または、青色に発光する青色発光チップと、青色発光チップの周囲に設けられ、緑色の領域に発光ピークを有する発光体層と、赤色に発光する赤色発光チップと、の組み合わせ、または、青色に発光する青色発光チップと、赤色に発光する赤色発光チップと、緑色に発光する緑色発光チップと、の組み合わせ、または、紫外光を発光する紫外光発光チップと、紫外光発光チップの周囲に設けられ、青色の領域、赤色の領域および緑色の領域にそれぞれ発光ピークを有する発光体層と、の組み合わせ、のいずれかの組み合わせを含む。
【００２２】
この場合、照明装置において、好ましくは、突出部に実装された発光素子のみが、青色に発光する青色発光チップと、黄色の領域に発光ピークを有する発光体層とを含む白色発光ダイオードである。
【００２３】
上記照明装置において、好ましくは、発光素子の光出射側を覆うように設けられ、発光素子からの光を拡散させる拡散レンズを備える。このように構成すれば、発光素子からの光を拡散させることができるので、被照明部材のコーナー領域の輝度が低下するのをより抑制することができる。
【００２４】
上記拡散レンズを備える照明装置において、好ましくは、拡散レンズは、真上方向よりもコーナー部方向へ出射する光を増大させる。このように構成すれば、被照明部材のコーナー領域の輝度が低下するのを効果的に抑制することができる。
【００２５】
上記拡散レンズを備える照明装置において、好ましくは、拡散レンズは、突出部に実装された発光素子以外の発光素子に設けられている。
【００２６】
この発明の表示装置は、上記の構成の照明装置と、照明装置からの光を利用して表示を行う表示パネルとを備える。このように構成すれば、表示パネル（被照明部材）のコーナー領域の輝度が低下するのを抑制することが可能な表示装置を得ることができる。
【００２７】
上記表示装置において、好ましくは、表示パネルは液晶を用いた液晶表示パネルである。
【発明の効果】
【００２８】
以上のように、本発明によれば、被照明部材のコーナー領域の輝度が低下するのを抑制することが可能な照明装置およびそれを備えた表示装置を容易に得ることができる。
【図面の簡単な説明】
【００２９】
【図１】本発明の第１実施形態の照明装置を備えたテレビジョン受像機の構造を示した分解斜視図である。
【図２】図１に示した本発明の第１実施形態の表示装置の構造を示した分解斜視図である。
【図３】図１に示した本発明の第１実施形態の発光素子、拡散レンズおよび実装基板の構造を示した平面図である。
【図４】図１に示した本発明の第１実施形態の実装基板の構造を示した断面図である。
【図５】図１に示した本発明の第１実施形態の発光素子の構造を示した断面図である。
【図６】図１に示した本発明の第１実施形態の照明装置の構造を示した断面図である。
【図７】図１に示した本発明の第１実施形態の拡散レンズの構造の一例を示した拡大断面図である。
【図８】図７に示した拡散レンズから出射する光の配光パターン（指向特性）を示した図である。
【図９】本発明の第２実施形態の発光素子、拡散レンズおよび実装基板の構造を示した平面図である。
【図１０】本発明の第３実施形態の発光素子、拡散レンズおよび実装基板の構造を示した平面図である。
【図１１】複数のＬＥＤを含む直下型のバックライト装置を備えた従来の表示装置の一例を示した断面図である。
【図１２】図１１に示した従来の表示装置のバックライト装置を薄型化した状態を示した断面図である。
【図１３】図１２に示した表示装置の液晶表示パネルを示した平面図である。
【発明を実施するための形態】
【００３０】
以下、本発明の実施形態について図面を参照して説明する。なお、理解を容易にするために、断面図であってもハッチングを施さない場合がある。
【００３１】
（第１実施形態）
図１〜図８を参照して、本発明の第１実施形態による照明装置２０を備えたテレビジョン受像機１の構造について説明する。
【００３２】
本発明の第１実施形態のテレビジョン受像機１は図１に示すように、照明装置２０を含む表示装置１０と、表示装置１０を収納するフロントキャビネット２およびバックキャビネット３と、スピーカ４と、チューナ基板５と、電源基板６と、支持部材７とを備えている。フロントキャビネット２、バックキャビネット３、スピーカ４、チューナ基板５、電源基板６および支持部材７は、従来一般に用いられるものが適用できるので、それぞれ簡単に説明する。
【００３３】
フロントキャビネット２およびバックキャビネット３は、表示装置１０、チューナ基板５および電源基板６を収納している。チューナ基板５は受信した電波から所定のチャンネルの画像信号と音声信号とを生成する機能を有する。スピーカ４はフロントキャビネット２に取り付けられているとともに、チューナ基板５が生成した音声信号に基づいて音声を発する機能を有する。電源基板６は、表示装置１０、スピーカ４およびチューナ基板５に電力を供給するように構成されている。表示装置１０は支持部材７に支持されている。なお、スピーカ４、チューナ基板５および電源基板６が、表示装置１０に組み付けられている構成であってもよい。
【００３４】
表示装置１０は図２に示すように、枠状のベゼル１１と、ベゼル１１に周縁部が覆われた表示パネル１２（被照明部材）と、表示パネル１２の背面側に配置され、表示パネル１２を照明する照明装置２０とによって構成されている。なお、「表示パネル１２の背面側」の「背面側（図２では下側）」は、他の構成要素にも適用される方位概念である。
【００３５】
表示パネル１２は、液晶表示パネルからなり、図示しない液晶層を挟み込むＡＭ基板（アクティブマトリックス基板）１２ａおよび対向基板１２ｂを含んでいる。また、表示パネル１２は照明装置２０からの光を利用して画像を表示する。
【００３６】
照明装置２０は直下型のバックライト装置であるとともに、４つのコーナー部Ｃ（図３参照）を有する矩形状に形成されている。照明装置２０は、複数の発光素子２１と、それぞれ複数ずつの発光素子２１が実装された複数の実装基板２２と、実装基板２２の前面側に配置される反射シート２３と、反射シート２３の前面側に配置される拡散板２４および複数の光学シート２５と、これらを収納するフロントシャーシ２６およびバックシャーシ２７とを含んでいる。
【００３７】
実装基板２２は図３に示すように、表示パネル１２の長手方向（Ａ方向）に延びる細長形状に形成されている。また、実装基板２２は、実装基板２２の長手方向（Ａ方向）に沿って例えば２枚配置されているとともに、実装基板２２の短手方向（Ａ方向と直交（交差）するＢ方向）に沿って例えば５枚以上配置されている。なお、Ａ方向は本発明の「第１方向」の一例であり、Ｂ方向は本発明の「第２方向」の一例である。
【００３８】
実装基板２２は、照明装置２０のコーナー部Ｃに隣接して配置される４枚の実装基板１２１（第１実装基板）と、実装基板１２１以外の実装基板１２２（第２実装基板）とを含んでいる。実装基板１２１のうちの照明装置２０のコーナー部Ｃ近傍の部分には、コーナー部Ｃ側に突出した突出部１２１ａが設けられている。このため、実装基板１２１は実装基板１２２よりも大きい面積を有する。本実施形態では、実装基板２２は２種類の実装基板１２１と、１種類の実装基板１２２とを含んでいる。
【００３９】
実装基板１２１の突出部１２１ａは実装基板１２２のＡ方向の端面１２２ａよりもＡ方向の外側に突出している。また、突出部１２１ａは実装基板１２１のＢ方向の端面１２１ｂから外側に突出している。すなわち、本実施形態では、突出部１２１ａは実装基板１２１のコーナー部Ｃ近傍の部分から斜め方向に突出している。
【００４０】
実装基板２２は、ガラス繊維が添加された熱可塑性樹脂基板により形成されている。具体的には、実装基板２２は図４に示すように、アルミニウム基板２２０と、アルミニウム基板２２０上に順に形成された絶縁層２２１ａ、配線層２２２ａ、絶縁層２２１ｂ、配線層２２２ｂおよびソルダーレジスト層２２３とによって構成されている。本実施形態では、少なくとも実装基板１２１は２つ（複数）の配線層２２２ａおよび２２２ｂを含んでおり、他の実装基板１２２は配線層を１層だけ含んでいてもよいし、２つ（複数）の配線層２２２ａおよび２２２ｂを含んでいてもよい。なお、絶縁層および配線層の数は、必要に応じて適宜変更可能である。
【００４１】
絶縁層２２１ａおよび２２１ｂはガラス繊維が添加された熱可塑性樹脂により形成されている。熱可塑性樹脂としては、ポリエーテルイミド（ＰＥＩ：Ｐｏｌｙｅｔｈｅｒｉｍｉｄｅ）、ポリエーテルスルホン（ＰＥＳ：Ｐｏｌｙｅｔｈｅｒｓｕｌｆｏｎｅ）、ポリエーテルエーテルケトン（ＰＥＥＫ：Ｐｏｌｙｅｔｈｅｒｅｔｈｅｒｋｅｔｏｎｅ）、ポリテトラフルオロエチレン（ＰＴＦＥ：Ｐｏｌｙｔｅｔｒａｆｌｕｏｒｏｅｔｈｙｌｅｎｅ）および液晶高分子（Ｌｉｑｕｉｄ  Ｃｒｙｓｔａｌ  Ｐｏｌｙｍｅｒ）のいずれか１つまたはこれらの組み合わせを用いることが可能である。
【００４２】
配線層２２２ａおよび２２２ｂのうちの最外層（最上層）以外の配線層２２２ａは、スルーホール２２４を介して発光素子２１に電気的に接続されている。配線層２２２ａおよび２２２ｂは例えば銅箔により形成されている。また、配線層２２２ａおよび２２２ｂは、電源基板６（図１参照）に電気的に接続されており、発光素子２１を発光させるための電流（電力）が供給されるように構成されている。
【００４３】
発光素子２１は図３に示すように、Ａ方向に所定のピッチで実装基板２２上に半田層など（図示せず）を用いて実装されている。
【００４４】
また、発光素子２１は実装基板１２１の突出部１２１ａにも実装されている。突出部１２１ａに実装された発光素子２１ａを除いて複数の発光素子２１は、Ａ方向およびＢ方向に配列され、マトリクス状に配置されている。また、突出部１２１ａに実装された発光素子２１ａは、マトリクス状に配置された複数の発光素子２１のうちのコーナー部Ｃに隣接して配置される発光素子２１ｂに比べて、コーナー部Ｃの近くに配置されている。
【００４５】
少なくとも実装基板１２１において、複数の発光素子２１は、供給される電力に応じて２つ以上のグループに分かれている。例えば、突出部１２１ａに実装された発光素子２１ａを含むグループと、それ以外の発光素子２１を含むグループと、の少なくとも２つのグループに分かれている。そして、実装基板１２１において、複数の発光素子２１は、グループ毎に異なる配線層２２２ａおよび２２２ｂに電気的に接続されている。例えば、発光素子２１ａを含むグループはスルーホール２２４を介して配線層２２２ａに電気的に接続され、それ以外の発光素子２１を含むグループは配線層２２２ｂに電気的に接続されている。そして、突出部１２１ａに実装された発光素子２１ａには、それ以外の発光素子２１に比べて高い電力が供給される。
【００４６】
なお、実装基板１２１に配線層を３層以上設けるとともに、発光素子２１ａ以外の発光素子２１を２つ以上のグループに分けて、グループ毎に異なる配線層に電気的に接続してもよい。
【００４７】
発光素子２１は例えば白色ＬＥＤ（発光ダイオード）により形成されている。発光素子２１は図５に示すように、青色に発光する青色発光チップ２１０と、青色発光チップ２１０の周囲に設けられ、黄色の領域に発光ピークを有する発光体層２１１と、これらを収納するケース２１２とを含んでいる。なお、発光素子２１は、青色に発光する青色発光チップ２１０と、青色発光チップ２１０の周囲に設けられ、緑色の領域および赤色の領域にそれぞれ発光ピークを有する発光体層とを含んでいてもよい。また、発光素子２１は、青色に発光する青色発光チップ２１０と、青色発光チップ２１０の周囲に設けられ、緑色の領域に発光ピークを有する発光体層と、赤色に発光する赤色発光チップとを含んでいてもよい。また、発光素子２１は、青色に発光する青色発光チップ２１０と、赤色に発光する赤色発光チップと、緑色に発光する緑色発光チップとを含んでいてもよい。また、発光素子２１は、紫外光を発光する紫外光発光チップと、紫外光発光チップの周囲に設けられ、青色の領域、赤色の領域および緑色の領域にそれぞれ発光ピークを有する発光体層とを含んでいてもよい。
【００４８】
また、突出部１２１ａに実装された発光素子２１ａのみが、青色に発光する青色発光チップ２１０と、黄色の領域に発光ピークを有する発光体層２１１とを含んでいてもよい。そして、それ以外の発光素子２１は、他の構成の白色ＬＥＤにより構成されていてもよい。
【００４９】
発光素子２１は前方（拡散板２４側）に向かって光を出射するように形成されている。各発光素子２１には図３および図６に示すように、光を拡散する機能を有する拡散レンズ２８が、発光素子２１の光出射側を覆うように設けられている。この拡散レンズ２８は例えば透明樹脂により形成されている。拡散レンズ２８は実装基板２２に固定されていてもよいし、バックシャーシ２７に固定されていてもよい。
【００５０】
拡散レンズ２８は、真上方向（表示パネル１２の厚み方向）よりもコーナー部Ｃ方向へ出射する光を増大させる機能を有することが好ましい。この場合、拡散レンズ２８は例えば図７に示した形状に形成されていてもよい。拡散レンズ２８を図７に示したように形成すれば、拡散レンズ２８から出射する光の配光パターン（指向特性）は、図８に示すようになる。具体的には、拡散レンズ２８から出射される光の光度は、真上方向に対して約６５±１５度傾斜した方向の光度が最も高くなる。また、拡散レンズ２８から真上方向に出射される光の相対光度は、例えば０．２程度になる。なお、図８の角度（０°〜９０°）は、真上方向に対する光の出射角度を示している。
【００５１】
なお、拡散レンズ２８は、全ての発光素子２１に設けられていてもよいし、突出部１２１ａに実装された発光素子２１ａには設けず、発光素子２１ａ以外の発光素子２１に設けられていてもよい。
【００５２】
反射シート２３は図２に示すように、実装基板２２の前面上に配置された底面部２３ａと、底面部２３ａに対して傾斜する傾斜面部２３ｂとを含んでいる。底面部２３ａは、長方形状に形成されているとともに、表示パネル１２に略平行に配置されている。傾斜面部２３ｂは、底面部２３ａに対して所定の傾斜角度を有するように表示パネル１２側に折り曲げられている。発光素子２１から出射した光は、照明装置２０の周縁部において、反射シート２３の傾斜面部２３ｂにより表示パネル１２側に反射される。
【００５３】
また、反射シート２３には、発光素子２１および拡散レンズ２８が挿入される複数の開口部２３ｃが形成されている。傾斜面部２３ｂのうちの、４個の発光素子２１ａの前方部分には、４つの開口部２３ｄが形成されている。この開口部２３ｄは、他の開口部２３ｃよりも大きく形成されている。開口部２３は底面部２３ａまで形成されていてもよい。なお、傾斜面部２３ｂのうちの、４個の発光素子２１ａの前方部分に、開口部２３ｄの代わりに切り欠き部（図示せず）が形成されていてもよい。
【００５４】
拡散板２４は例えば樹脂製の板状部材からなっている。拡散板２４は、発光素子２１から出射した光の一部を反射シート２３側に反射するとともに、発光素子２１から出射した光の残りを拡散して表示パネル１２側（光学シート２５側）に透過する機能を有する。拡散板２４の背面は複数の支持ピン（図示せず）により支持されていてもよい。支持ピンはバックシャーシ２７や実装基板２２に固定されていてもよい。反射シート２３には、支持ピンを挿入するための挿入穴（図示せず）が設けられていてもよい。
【００５５】
複数の光学シート２５は拡散板２４よりも薄い樹脂製のシート状部材からなっており、拡散板２４の表示パネル１２側に配置されている。光学シート２５は拡散板２４を透過した光の拡散や集光などを行う。なお、使用する光学シート２５の種類や数は用途に応じて変更可能である。
【００５６】
本実施形態では、上記のように、照明装置２０のコーナー部Ｃに隣接して配置される実装基板１２１のうちの、コーナー部Ｃ近傍の部分には、コーナー部Ｃ側に突出した突出部１２１ａが設けられており、突出部１２１ａには発光素子２１ａが実装されている。すなわち、照明装置２０のコーナー部Ｃ近傍（コーナー領域）に発光素子２１ａを追加配置する。これにより、照明装置２０のコーナー領域から出射する光の量を増加させることができるので、表示パネル１２のコーナー領域の輝度が低下する（コーナー領域が暗く見える）のを抑制することができる。このような構成は、薄型の照明装置に特に有効である。
【００５７】
また、上記のように、突出部１２１ａは、実装基板１２２のＡ方向の端面１２２ａよりもＡ方向の外側に突出しているとともに、実装基板１２１のＢ方向の端面１２１ｂから外側に突出している。すなわち、突出部１２１ａは実装基板１２１のコーナー部Ｃ近傍の部分から斜め方向に突出している。これにより、発光素子２１ａを照明装置２０のコーナー部Ｃに、より近づけて配置することができる。
【００５８】
また、上記のように、反射シート２３の傾斜面部２３ｂのうちの、突出部１２１ａに実装された発光素子２１ａの前方部分には、開口部２３ｄ（または切り欠き部）が形成されている。これにより、照明装置２０のコーナー部Ｃ近傍に発光素子２１ａを追加配置した場合に、その発光素子２１ａから出射した光が反射シート２３の傾斜面部２３ｂで遮られるのを抑制することができる。
【００５９】
また、上記のように、突出部１２１ａに実装された発光素子２１ａは、マトリクス状に配置された複数の発光素子２１のうちのコーナー部Ｃに隣接して配置される発光素子２１ｂに比べて、コーナー部Ｃの近くに配置されている。これにより、照明装置２０のコーナー領域から出射する光の量を容易に増加させることができる。
【００６０】
また、上記のように、突出部１２１ａに実装された発光素子２１ａに供給される電力は、それ以外の発光素子２１に供給される電力よりも高い。これにより、照明装置２０のコーナー領域から出射する光の量をより増加させることができるので、表示パネル１２のコーナー領域の輝度が低下するのをより抑制することができる。
【００６１】
また、上記のように、発光素子２１からの光を拡散させる拡散レンズ２８を設けることによって、発光素子２１からの光を拡散させることができるので、表示パネル１２のコーナー領域の輝度が低下するのをより抑制することができる。
【００６２】
また、上記のように、拡散レンズ２８は、真上方向よりもコーナー部Ｃ方向へ出射する光を増大させる。これにより、表示パネル１２のコーナー領域の輝度が低下するのを効果的に抑制することができる。
【００６３】
（第２実施形態）
本発明の第２実施形態では図９に示すように、実装基板１２１はＬ字状に形成されており、実装基板１２１の突出部１２１ａは実装基板１２１のＢ方向の端面１２１ｂから外側に突出している。すなわち、突出部１２１ａは実装基板１２１のコーナー部Ｃ近傍の部分からＢ方向に突出している。
【００６４】
第２実施形態のその他の構造は、上記第１実施形態と同様である。
【００６５】
本実施形態では、上記のように、突出部１２１ａは、実装基板１２１の端面１２１ｂから外側に突出している。このように構成した場合にも、発光素子２１ａを照明装置２０のコーナー部Ｃ近傍（コーナー領域）に配置することができるので、照明装置２０のコーナー領域から出射する光の量を増加させることができる。このため、表示パネル１２のコーナー領域の輝度が低下するのを抑制することができる。
【００６６】
第２実施形態のその他の効果は、上記第１実施形態と同様である。
【００６７】
（第３実施形態）
本発明の第３実施形態では図１０に示すように、実装基板１２１は直線状に形成されており、実装基板１２１の突出部１２１ａは実装基板１２２のＡ方向の端面１２２ａよりもＡ方向の外側に突出している。すなわち、突出部１２１ａは実装基板１２１のコーナー部Ｃ近傍の部分からＡ方向に突出している。本実施形態では、実装基板２２は１種類の実装基板１２１と、１種類の実装基板１２２とを含んでいる。
【００６８】
第３実施形態のその他の構造は、上記第１実施形態と同様である。
【００６９】
本実施形態では、上記のように、突出部１２１ａは、実装基板１２２のＡ方向の端面１２２ａよりもＡ方向の外側に突出している。このように構成した場合にも、発光素子２１ａを照明装置２０のコーナー部Ｃ近傍（コーナー領域）に配置することができるので、照明装置２０のコーナー領域から出射する光の量を増加させることができる。このため、表示パネル１２のコーナー領域の輝度が低下するのを抑制することができる。
【００７０】
また、上記のように構成すれば、実装基板２２を２種類にすることができるので、部品の種類が多くなるのを抑制することができる。
【００７１】
第３実施形態のその他の効果は、上記第１実施形態と同様である。
【００７２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７３】
例えば、上記実施形態では、表示パネルを液晶表示パネルに適用した例について示したが、本発明はこれに限らず、液晶表示パネル以外の表示パネルに適用してもよい。
【００７４】
また、上記実施形態では、照明装置の一例として表示パネルを照明するバックライト装置について説明したが、本発明はこれに限らず、表示パネル以外の被照明部材を照明する照明装置にも適用可能である。例えば、パネル（被照明部材）を備えた天井照明装置や、看板の表示板（被照明部材）を背面側から照明する照明装置などにも適用可能である。また、言うまでもなく、照明装置は矩形状に限定されない。
【００７５】
また、上記実施形態では、発光素子を、白色光を出射するように構成した例について示したが、本発明はこれに限らず、発光素子を、白色光以外の光を出射するように構成してもよい。
【００７６】
また、上記実施形態では、本発明を、発光素子上を覆うように拡散レンズを設けた例について示したが、本発明はこれに限らず、発光素子上を覆う拡散レンズを設けなくてもよい。
【００７７】
また、上述した実施形態の構成を適宜組み合わせて得られる構成についても、本発明の技術的範囲に含まれる。
【符号の説明】
【００７８】
１０  表示装置
１２  表示パネル（被照明部材）
２０  照明装置
２１  発光素子
２２  実装基板
２３  反射シート
２３ａ  底面部
２３ｂ  傾斜面部
２３ｃ、２３ｄ  開口部
２８  拡散レンズ
１２１  実装基板（第１実装基板）
１２１ａ  突出部
１２１ｂ  端面
１２２  実装基板（第２実装基板）
１２２ａ  端面
２１０  青色発光チップ
２１１  発光体層
２２２ａ、２２２ｂ  配線層
２２４  スルーホール
Ｃ  コーナー部
【図１】
2013152863.tif 000003
【図２】
2013152863.tif 000004
【図３】
2013152863.tif 000005
【図４】
2013152863.tif 000006
【図５】
2013152863.tif 000007
【図６】
2013152863.tif 000008
【図７】
2013152863.tif 000009
【図８】
2013152863.tif 000010
【図９】
2013152863.tif 000011
【図１０】
2013152863.tif 000012
【図１１】
2013152863.tif 000013
【図１２】
2013152863.tif 000014
【図１３】
2013152863.tif 000015